(57)【特許請求の範囲】
【請求項１】
ソケット本体の前端部側にソケット部を有し、後端部側に作業工具への装着部を有する作業工具用ソケットにおいて、該ソケット部のソケット孔に適合する正多角形の外周面と該ソケット孔より径小な副ソケット孔とからなる副ソケット部と、該副ソケット部に軸方向に延び、円筒状に軸方向に貫通し、ボルトが貫通する、副ソケット部より径小な中空本体部とからなり、該ソケット孔内を軸方向には移動可能であるが周方向には回転不能な移動ソケットを備え、該移動ソケットが、前記ソケット部のソケット孔の前端縁側に副ソケット部が位置して該ソケット孔を塞ぐ第一位置と、ソケット孔内の奥端側に副ソケット部が位置して該ソケット孔が露出する第二位置との間で移動可能となっており、該移動ソケットの外周面側にあって該移動ソケットと前記ソケット本体との間に圧縮ばねが介装され、該移動ソケットが、該圧縮ばねによって、常時前記第一位置側に付勢されると共に、圧縮ばねの付勢力に抗して第二位置側に移動可能となっている作業工具用ソケット。
【発明の詳細な説明】
【０００１】
【発明の属する技術分野】
本発明は、電気ドリル等の電動工具やソケットレンチ用ラチェットハンドル等の手動工具等の作業工具を用いてボルトやナットの締付け、取外しに使用するソケットに関するもので、特に複数種類のボルト・ナットサイズに対応できるソケットに関する。
【０００２】
【従来の技術】
従来から、図１に示すように、ソケット本体１の前端部側にソケット部２を有し、後端部側に作業工具Ｔへの装着部３を有する作業工具用ソケットが存在する。そしてこのソケットで作業を行うには、その装着部３を電気ドリル等の作業工具Ｔの装着軸Ｔａに嵌合装着してソケットを回転駆動させて、そのソケット部２のソケット孔４に嵌合されるナットやボルトを締め付けるようにしていた。
ナットやボルトの外径は多種類にのぼるが、従来ではナットやボルトの外径が異なる毎にソケットを替える必要があった。
【０００３】
【発明が解決しようとする課題】
本発明では一つのソケットで２種類の外径の異なるナットやボルトを締め付けることができるソケットを提案することを目的とするものである。
【０００４】
【課題を解決するための手段】
上記課題を解決するために、請求項１に係る発明にあっては、ソケット本体の前端部側にソケット部を有し、後端部側に作業工具への装着部を有する作業工具用ソケットにおいて、該ソケット部のソケット孔に適合する正多角形の外周面と該ソケット孔より径小な副ソケット孔とからなる副ソケット部と、該副ソケット部に軸方向に延び、円筒状に軸方向に貫通し、ボルトが貫通する、副ソケット部より径小な中空本体部とからなり、該ソケット孔内を軸方向には移動可能であるが周方向には回転不能な移動ソケットを備え、該移動ソケットが、前記ソケット部のソケット孔の前端縁側に副ソケット部が位置して該ソケット孔を塞ぐ第一位置と、ソケット孔内の奥端側に副ソケット部が位置して該ソケット孔が露出する第二位置との間で移動可能となっており、該移動ソケットの外周面側にあって該移動ソケットと前記ソケット本体との間に圧縮ばねが介装され、該移動ソケットが、該圧縮ばねによって、常時前記第一位置側に付勢されると共に、圧縮ばねの付勢力に抗して第二位置側に移動可能となっているものである。
【００１０】
【発明の実施の形態】
図２は本発明に係る作業工具用ソケットの一実施の形態を分解して示すもので、ソケット本体１の先端部側にソケット部２を有し、後端部側に作業工具への角軸状の装着部３を有する点は従来と同じ構造であるが、ソケット部２に形成されるソケット孔４は従来より軸方向に長く形成することが好ましい。尤も従来と同じ軸方向長さのものでもよい。
【００１１】
そして、このソケット本体１のソケット部２とその奥行側の中空部１０（図３）とにわたって、移動ソケット８が嵌合される。該移動ソケット８は、前記ソケット部２の６角あるいは１２角等の角孔からなるソケット孔４に適合するような６角あるいは１２角等の正多角形の外周面５と、ソケット孔４より小径な副ソケット孔６とからなる副ソケット部７と該副ソケット部７に軸方向に延びる中空本体部１１とからなる。
【００１２】
従って、移動ソケット８は、ソケット部２のソケット孔４に対して軸方向には移動可能であるが回転不能にソケット孔４と中空部１０とにわたって嵌合装備されている。
【００１３】
図３に示すように、ソケット本体１のソケット孔４と中空部１０とにわたって嵌合される移動ソケット８の中空本体部１１には圧縮ばね９が内装され、その後端部はソケット本体１の中空部１０の端壁１０ａに当て、前端部は中空本体部１１の内部に係止したスナップリング等の係止環１２に当て付けて、移動ソケット８をソケット本体１の前端部側に向かって付勢すると共に、ソケット本体１の中空部１０の内周面と移動ソケット８の中空本体部１１の外周面とに夫々Ｏリング１３，１４からなる規制手段１５を設けて、移動ソケット８が圧縮ばね９の付勢力によって、ソケット本体１の前端部側に向かって移動したときには、図４に示すように、移動ソケット８の副ソケット部７がソケット本体１のソケット孔４の前端縁４ａ側に位置するように規制手段１５によって規制され、この第一位置Ｐ１では移動ソケット８の副ソケット部７によってソケット部２のソケット孔４が塞がれた状態となっている。
【００１４】
また図３に示すように、外力によって移動ソケット８が圧縮ばね９の付勢力に抗してソケット孔４の後端部側に移動したときには、ソケット部２の前端部側にソケット孔４が露出した状態となっている。
【００１５】
従って、作業工具Ｔの装着軸Ｔａにソケットの装着部３を装着して使用する際に、ソケット部２のソケット孔４に適合するナットやボルトを締め付ける場合には、図３に示すように、ナットやボルトに押されて、移動ソケット８の副ソケット部７がソケッ孔４の奥端部側の第１位置Ｐ１に移動させた状態で、そのナットやボルトがソケット孔４に嵌合されて締付作業を行うことになり、一方ソケット孔４より径少な副ソケット孔６でボルトやナットを締め付ける際には、図４に示すように、圧縮ばね９に付勢されてソケット孔４の前端位置、即ち第二位置Ｐ２にある副ソケット孔６にナットやボルトが嵌合されて締付作業を行うことになる。
【００１６】
上記実施の形態にあっては、圧縮ばね９を移動ソケット８の中空本体部１１の内周面側に嵌合保持させたのものであるが、図５に示すように圧縮ばね９を移動ソケット８の中空本体部１１の外周面側に設け、その後端部をソケット本体１の中空部１０の端壁１０ａに当て、前端部を中空本体部１１の外周面に係止したスナップリング等の係止環１２に当てるようにすることが好ましい。なお、前記実施の形態ではソケット本体１側と移動ソケット８側とに夫々設けたＯリング１３，１４によって規制手段１５を形成するようにしたが、この実施の形態にあっては、移動ソケット８の中空本体部１１の外周面に係止した係止環１２を移動ソケット８側のＯリング１４に代わる規制手段１５の構成部材としてもよい。
この実施の形態によれば、図５に示すように、移動ソケット８の副ソケット孔６でナットＮをボルトＶに締め付けるに当たって、ボルトＶが図示のように長く突出する場合に、該ボルトＶを移動ソケット８の副ソケット孔６から中空本体部１１の内部に至るまで嵌合するようにして締付作業を行うことができる。
【００１７】
しかるに前記実施の形態のように移動ソケット８の中空本体部１１の内周面側に圧縮ばね９を介装する場合にはボルトＶが圧縮ばね９に当接することになり、ナットＮからボルトＶが長く突出する場合には締付作業を行うことができないことになる。
【００１８】
上記実施形態は、圧縮ばね９の付勢力とその抗する力によって移動ソケット８を第一位置Ｐ１と第二位置Ｐ２との間で移動させて使い分けするようにしたものであるが、図６に示すように、移動ソケット８自体の自重で移動させるようにしてもよい。即ち、作業工具Ｔに取り付けられたソケットを下向きにして移動ソケット８の副ソケット部７をソケット部２の前端縁４ａ側の第１位置Ｐ１に自重によって移動させ、この状態で副ソケット部７に合うナットやボルトを締め付けるようにしたり、ソケット孔４に適合するナットやボルトを締め付ける際には、そのナットやボルトを副ソケット部７に当てつけて、その自重に抗して移動ソケット８をソケット孔４の後端部側の第２位置Ｐ２に移動させて、ソケット孔４を露出させて、これにナットやボルトを嵌合するようにして使用することもできる。なお、この実施の形態にあっても、ソケット本体１の中空部１０の内周面と移動ソケット８の中空本体部１１の外周面とに夫々Ｏリング１３，１４からなる規制手段１５を設けるが、移動ソケット８がソケット本体１内をできるだけ摺動抵抗がなく円滑に移動できるように、ソケット本体１の中空部１０にはＯリング１３を設けてよいが、移動ソケット８の中空本体部１１の外周にはＯリングではなく、本体部１１と一体の突起１４ａが好ましく、また前記Ｏリング１３と突起１４ａとは互いに係合するが、対向する壁面には接触しないようにした規制手段１５ａとすることが好ましい。
【００１９】
図７は、他のソケットの従来技術を示すもので、作業工具Ｔとして所謂切換レバーＴｂ付きのソケットレンチ用ラチェットハンドルを用いてその角軸部Ｔａに、図８に示すようにソケット本体１の後端部側である角穴からなる装着部３を外嵌し、ソケット本体１の前端部側であるソケット部２のソケット孔４にボルトやナットを嵌合して締め付けるようになっており、全体として管状の外観を呈しているが、この管状のソケットにあっても、図９乃至図１１に示すように、ソケット本体１のソケット孔４と中空部１０とにわたって嵌合される移動ソケット８の中空本体部１１には圧縮ばね９が内装され、その後端部はソケット本体１の中空部１０の端壁１０ａに当て、前端部は中空本体部１１の内部に係止した係止環１２に当て付けて、移動ソケット８をソケット本体１の前端部側に向かって付勢すると共に、ソケット本体１の中空部１０の内周面と移動ソケット８の中空本体部１１の外周面とに夫々Ｏリング１３，１４からなる規制手段１５を設けて、移動ソケット８が圧縮ばね９の付勢力によって、ソケット本体１の前端部側に向かって移動したときには、図１１に示すように、移動ソケット８の副ソケット部７がソケット本体１のソケット孔４の前端縁４ａ側に位置するように規制手段１５によって規制され、この第一位置Ｐ１では移動ソケット８の副ソケット部７によってソケット部２のソケット孔４が塞がれた状態となっている。
【００２０】
また図１０に示すように、外力によって移動ソケット８が圧縮ばね９の付勢力に抗してソケット孔４の後端部側の第２位置Ｐ２に移動したときには、ソケット部２の前端部側にソケット孔４が露出した状態となっている。
【００２１】
上記実施の形態にあっては、圧縮ばね９を移動ソケット８の中空本体部１１の内周面側に嵌合保持させたのものであるが、前述の図５に示す実施の形態と同じように、図１２に示すように圧縮ばね９を移動ソケット８の中空本体部１１の外周面側に設け、その後端部をソケット本体１の中空部１０の端壁１０ａに当て、前端部を中空本体部１１の外周面に係止したスナップリング等の係止環１２に当てるようにすることが好ましい。なお、この実施の形態にあっても、移動ソケット８の中空本体部１１の外周面に係止した係止環１２を移動ソケット８側のＯリング１４に代わる規制手段１５の構成部材としてもよい。
【００２２】
この実施の形態にあっても、図１２に示すように、移動ソケット８の副ソケット孔６でナットＮをボルトＶに締め付けるに当たって、ボルトＶが図示のように長く突出する場合に、該ボルトＶを移動ソケット８の副ソケット孔６から中空本体部１１の内部に至るまで嵌合するようにして締付作業を行うことができる。
【００２３】
また、図１３に示すように、移動ソケット８自体の自重で移動させるようにしてもよい。即ち、作業工具Ｔに取り付けられたソケットを下向きにして移動ソケット８の副ソケット部７をソケット部２の前端縁側の第１位置Ｐ１に自重によって移動させ、この状態で副ソケット部７に合うナットやボルトを締め付けるようにしたり、ソケット孔４に適合するナットやボルトを締め付ける際には、そのナットやボルトを副ソケット部７に当てつけて、その自重に抗して移動ソケット８をソケット孔４の後端部側の第２位置Ｐ２に移動させて、ソケット孔４を露出させて、これにナットやボルトを嵌合するようにして使用することもできる。この場合にも移動ソケット８の規制手段１５ａは前述のＯリング１３と突起１４ａとからなることが好ましい。
【００２４】
【発明の効果】
請求項１に係る発明の作業工具用ソケットにあっては、従来周知の作業工具を用いて、これに装着されるソケットを回転させてボルトやナットを締め付ける作業を行う際に、ソケットのソケット孔に合うボルトやナットを締め付けることができると共に、該ソケットのソケット孔より小径なボルトやナットを締め付ける際には、ソケットに装備した移動ソケットによって締め付けることができ、従来のように一々小径なボルトやナットの径に合うソケットに取り替える必要がないからそれだけ使用に便利である。
【００２５】
しかも、ソケットとそれよりも小径な移動ソケットで形成することができるから構造が簡単で安価に製作することができる。
【００２６】
また、前記移動ソケットは、前記ソケット部のソケット孔の前端縁側に副ソケット部が位置して該ソケット孔を塞ぐ第一位置と、ソケット孔内の奥端側に副ソケット部が位置して該ソケット孔が露出する第二位置との間で移動可能となっており、ソケットと移動ソケットとは一体的に組み込まれているため、外観上では従来のソケットとあまり変わることがなく、嵩張ることなくコンパクトに製作することができる。
【００２７】
さらに、圧縮ばねの付勢力と、その抗する力によって移動ソケットが前記第一位置Ｐと第二位置Ｐとの間を移動するようになっているため、常時は移動ソケットにおける副ソケット部の副ソケット孔が使用状態となっており、径大なボルトやナットを締め付ける際には、単に圧縮ばねの付勢力に抗して移動ソケットを移動させるだけでよいから、使い勝手が非常によいというメリットがある。
【００２８】
また、圧縮ばねは、移動ソケットの外周面側にあって該移動ソケットと前記ソケット本体との間に介装されてなるため、移動ソケットの副ソケット孔でナットをボルトに締め付けるに当たって、ボルトがナットから長く突出する場合に、該ボルトを移動ソケットの中空部に嵌合するようにして締付作業を行うことができる。しかるに移動ソケットの内周面側に圧縮ばねを介装する場合にはボルトが圧縮ばねに当接することになり、ナットからボルトが長く突出する場合には締付作業を行うことができないことになる。
【００２９】
さらに、前記移動ソケットは円筒状に軸方向に貫通したものであるから、前記のようにボルトを移動ソケットの中空部に嵌合した状態で締付作業を行う場合に、ボルトが移動ソケットの中空部を貫通して奥深くまで嵌合することができ、ボルトがナットからかなり長く突出した状態で締付作業を行う場合にも支障をきたすことがない。
【図面の簡単な説明】
【図１】  本発明に係る作業工具用ソケットの使用例の従来技術を示す斜視図である。
【図２】  本発明の一実施の形態を示す分解斜視図である。
【図３】  同縦断側面図である。
【図４】  同使用状態の縦断側面図である。
【図５】  同他の実施の形態を示す縦断側面図で、使用状態も示す。
【図６】  同他の実施の形態を示す縦断側面図である。
【図７】  本発明に係る作業工具用ソケットの使用例の他の従来技術を示す斜視図である。
【図８】  同ソケットの他の従来技術を示す縦断側面図と左右から見た図である。
【図９】  本発明の他の実施の形態を示す分解斜視図である。
【図１０】  同縦断側面図である。
【図１１】  同使用状態の縦断側面図である。
【図１２】  同他の実施の形態を示す縦断側面図で、使用状態も示す。
【図１３】  同他の実施の形態を示す縦断側面図である。
【符号の説明】
１              ソケット本体
２              ソケット部
３              装着部
４              ソケット孔
５              外周面
６              副ソケット孔
７              副ソケット部
８              移動ソケット
９              圧縮ばね
１５            規制手段
【図１】
0003995371.tif 000002
【図２】
0003995371.tif 000003
【図３】
0003995371.tif 000004
【図４】
0003995371.tif 000005
【図５】
0003995371.tif 000006
【図６】
0003995371.tif 000007
【図７】
0003995371.tif 000008
【図８】
0003995371.tif 000009
【図９】
0003995371.tif 000010
【図１０】
0003995371.tif 000011
【図１１】
0003995371.tif 000012
【図１２】
0003995371.tif 000013
【図１３】
0003995371.tif 000014